(57)【要約】      （修正有）【課題】スティック包装された粉末緑茶などの粉末体と、該粉末体を溶かして飲用にする水などの液体とをセットにした飲物セット構造を提供する。【解決手段】水等の液体が充填されたボトル３と、該ボトル３の注口側の頸部４に掛止める孔を有し、該孔を介してボトル３に吊り下げられる短冊状の吊下体５と、該吊下体５に形成された収納部に収納されたスティック状の包装体１０と、該スティック状の包装体１０に収納されて、前記ボトルの液体全部と混ぜ合わせて飲物とするに適した量に設定された粉末緑茶等の粉末体とからなることを特徴とする。【選択図】図１
0003183716.tif 000002
【実用新案登録請求の範囲】
【請求項１】
水等の液体が充填されたボトルと、
該ボトルの注口側に掛止める孔を有し、該孔を介してボトルに吊り下げられる吊下体と、
該吊下体に形成された収納部に保持された個別包装の包装体と、
該包装体に保持されて、前記ボトルの液体と混ぜ合わせて飲物とするに適した量に設定された粉末緑茶等の粉末体とからなることを特徴とする飲物セット構造。
【請求項２】
ボトルが水を充填したペットボトルからなっており、
粉末体が、茶葉を微粉末とした粉末緑茶からなることを特徴とする請求項１に記載の飲物セット構造。
【請求項３】
ボトルが水を充填したペットボトルからなっており、
粉末体が、緑茶をフリーズドライまたはスプレードライした粉末緑茶からなることを特徴とする請求項１に記載の飲物セット構造。
【考案の詳細な説明】
【技術分野】
【０００１】
本考案は個別包装された粉末緑茶などの粉末体と、該粉末体を溶かして飲用にするための水とをセットにした飲物セット構造に関するものである。
【背景技術】
【０００２】
従来、例えば特開２００８−２４５９８２号の医薬品と水とのセット包装体では、１〜３回服用する量の医薬品を収納した医薬品包装体と、前記医薬品を服用するに足る量の水を収納した容器とからなり、販売時点において、前記医薬品包装体と前記容器を一体としたことを特徴とする医薬品と水とのセット包装体が知られている。
しかしながら、上記構成では、液体容器に収納される水の量が、医薬品を服用するために必要な量に定められており、任意の量の水が収納された液体容器を用いることができない。
これは、医薬品を服用することを目的とするためであり、水を飲用することは副次的な問題と考えているためであり、粉末緑茶などの粉末体を水に溶いて飲料として用いる場合には適さない。
【先行技術文献】
【特許文献】
【０００３】
【特許文献１】特開２００８−２４５９８２号公報
【考案の概要】
【考案が解決しようとする課題】
【０００４】
この考案は、上記事情に鑑みて創案されたものであって、ボトル内の液体の量に合わせて、該液体と混合して飲物とするのに適した量の粉末緑茶などの粉末体を個別包装して、販売時に、ボトルとセットにした飲物セット構造を提供することを目的とする。
【課題を解決するための手段】
【０００５】
上記課題を解決するために、請求項１記の考案では、
水等の液体が充填されたボトルと、
該ボトルの注口側の頸部に掛止める孔を有し、該孔を介してボトルに吊り下げられる吊下体と、
該吊下体に形成された収納部に保持された個別包装の包装体と、
該包装体に保持されて、前記ボトルの液体と混ぜ合わせて飲物とするに適した量に設定された粉末緑茶等の粉末体とからなることを特徴とする。
【０００６】
前記ボトルが水を充填したペットボトルからなっており、
前記粉末体が、茶葉を微粉末とした粉末緑茶からなるものでもよい。
前記粉末体は、緑茶をフリーズドライまたはスプレードライした粉末緑茶からなるものでもよく、製法は問わない。
【考案の効果】
【０００７】
本考案は、ボトル内の液体の量に合わせた粉末体をボトルに掛け止めてセットで販売し、飲用時に粉末体を液体に溶かして飲物とし飲用に供することができるので、香りに優れ、品質の劣化を抑えることができる。
【図面の簡単な説明】
【０００８】
【図１】本考案による飲物セット構造を示す正面図である。
【図２】吊下体に粉末緑茶を収納する状態を示す分解斜視図である。
【図３】（ａ）は粉末緑茶を収納した吊下体の側面から見た断面図、（ｂ）は背面図である。
【考案を実施するための形態】
【０００９】
以下に、本考案の飲物セット構造の粉末体を緑茶粉末に適用した好適実施形態について図面を参照して説明する。
【実施例１】
【００１０】
本考案の飲物セット構造１は、水２が充填されたペットボトル３と、該ペットボトル３の注口側の頸部４に吊り下げられる短冊状の吊下体５と、該吊下体５に保持された粉末緑茶１１入りの１つの個別包装の包装体１０とからなっている。
【００１１】
［ペットボトル］
ペットボトル３は、ボトル本体の上部に、上端に注口を有する小径の頸部４を有し、キャップで密封された公知形状からなっており、２８０ｍｌ、３５０ｍｌ、５００ｍｌ、９００ｍｌ、１．５Ｌ、１．８Ｌ、２Ｌ等のほか、任意の容量を収納しうるようになっている。
この考案では、ペットボトルに限らず、吊下体５を掛止め可能な水筒状やポット状、酒瓶状その他の任意形状の容器もボトルの範囲に含まれる。
【００１２】
［吊下体］
吊下体５は、本実施例の場合、短冊状のシート５Ａと、該シート５Ａに貼り付けられるプラスティックフィルムからなる袋６と、前記シート５Ａと袋６とで形成された収納部７とからなっている。
吊下体５は、少なくとも包装体を保持しうる大きさ、形状であれば、短冊状に限定されず、任意の形状とすることができる。
【００１３】
前記シート５Ａは、紙からなって上部に孔５Ｂを穿設しており、該孔５Ｂは前記ペットボトル３の頸部４に着脱可能に嵌め込むことができる径に設定されている。
前記孔５Ｂは、無端の任意形状の孔に限らず、孔からシート５Ａの縁部まで続く切離線を有する構造であってもよい。
シート５Ａの素材は特に紙に限定されず、プラスティック、布、木、金属など任意の素材を用いることができる。
【００１４】
このシート５Ａの表面及び又は裏面に表示部を設けることができ、例えば、一面に商品名称や標章などを表示する表示部８Ａを設け、他面に収納する商品表示や使用法、飲み方などの説明文などの任意の事項を表示する表示部８Ｂを設けることができる。
【００１５】
袋６は、本実施例では透明なプラスティックフィルムからなっており、上部が開口して前記シート５Ａの全部又は一部を挿入することができる。
また、上記袋６の一方の面の上部は嵌合したシート５ＡにシールＳされており、シート５Ａとの間に密閉された空間を形成しており、該空間を収納部７として使用することができる。
【００１６】
上記収納部７には、スティック包装された１つの包装体１０が収納される。
即ち、本実施例では、前記袋６は、表裏一方の面が他方より長く延出しており、上部開口からシート５Ａを挿入し、次いで、挿入されたシート５Ａと前記袋６の上端が長く設定された面との間に後述の包装体１０を収納し、収納してから、上端が長く延出した部分をシート５Ａに貼り付けることで、包装体１０を収納部７に密閉することができる。
【００１７】
この考案では、吊下体５の構造は前記実施例に限定されるものではなく、シート５Ａと袋６とを別体にせず、一体とするものでもよい。
即ち、シートに一体に袋を形成し、該袋に包装体１０を収納した後に袋の上部を封止して包装体１０を密閉するものなど、要するに、ペットボトル３の頸部４に掛止めることができると共に、包装体１０を収納しうるものであればよく、その構造は実施例に限定されない。
【００１８】
本実施例では、収納部７は、袋状となって包装体１０をそっくり包み込むようになっているが、この考案では、例えば、吊下体５に直接、または吊下体５に連結したシートに包装体１０を掛止める切欠を設け、包装体１０を吊下体５に着脱可能に保持して収納する構成であってもよい。
【００１９】
［包装体］
包装体１０は、緑茶粉末１１を個別包装の一例として示すスティック包装した構成からなっている。
スティック状とすることで、ペットボトル３への緑茶粉末１１の投入を容易にしている。
【００２０】
［緑茶粉末］
緑茶粉末１１は、緑茶葉をそのまま微粉末としたものを用いたが、緑茶をフリーズドライやスプレードライした粉末であってもよく、水に混合して飲用に供しうる粉末であればよい。
この緑茶粉末１１は、ペットボトル３に収納された水の量に対応して、最適の量が決められる。
例えば、５００ｍｌの水のペットボトルに対して０．５ｇから１ｇの緑茶粉末を用いる。
【００２１】
［使用法］
吊下体５の袋６のシールＳ部分を剥がして収納部７を開口し、中からスティック状の包装体１０を取り出す。
ここで、吊下体５はペットボトル３から取り外しても、そのまま掛け止めたままでもよい。
【００２２】
次いで、包装体１０のスティックを開封し、蓋を開いたペットボトル３の注口からスティック内の緑茶粉末１１を全部入れ、蓋を閉じるなどしてペットボトル３をよく振って、水と緑茶粉末とを混合することで、飲用に供することができる。
ここで、ペットボトル３内の水は、満杯よりも少し減らしておく方が混合しやすく好ましい。
【００２３】
このように、ペットボトル３の容量に合わせて、吊下体５に収納する粉末緑茶１１を最適の量のものと組み合わせることで、ペットボトル３の水を、飲用時に適切な濃度の緑茶飲料に変化させることができ、香り豊かで酸化のない緑茶を飲むことができる。
【産業上の利用可能性】
【００２４】
上記実施例では、ボトルとしてペットボトルを例示したが、瓶やポットなどのボトルであってもよい。
また、ボトルには水以外の液体が収納されているものでもよい。
更に、包装体として粉末緑茶を用いたが、その他の粉末で前記液体と混合して別の飲物となるものであれば，適宜な組み合わで適用することができる。
その他、要するにこの考案の要旨を変更しない範囲で種々設計変更しうること勿論である。
【符号の説明】
【００２５】
１    飲物セット構造
２    水
３    ペットボトル
４    頸部
５    吊下体
６    袋
７    収納部
１０    包装体
１１    粉末緑茶
【図１】
0003183716.tif 000003
【図２】
0003183716.tif 000004
【図３】
0003183716.tif 000005